(57)【要約】【課題】低コストでかつサンゴの幼生を効率的に着生させてサンゴの増殖を図ることのできるサンゴ増殖用基盤及びサンゴ増殖方法を提供する。【解決手段】このサンゴ増殖用基盤１０’は、隔置した少なくとも２つの面状部１８と、面状部を支持する支持部材１１と、を備え、面状部間の隙間１９ａに対し海水が流入し易くかつ流れ方向が反転したとき流出し難くかつ面状部間の少なくとも一部に滞留域１８ｃ及び遮光域が形成されるように面状部を配置した。【選択図】図２３
2008141979.tif 000002
【特許請求の範囲】
【請求項１】
隔置した少なくとも２つの面状部と、前記面状部を支持する支持部材と、を備え、
前記面状部間の隙間に対し海水が流入し易くかつ流れ方向が反転したとき流出し難くかつ前記面状部間の少なくとも一部に滞留域及び遮光域が形成されるように前記面状部を配置したことを特徴とするサンゴ増殖用基盤。
【請求項２】
前記面状部が前記支持部材に対し着脱可能である請求項１に記載のサンゴ増殖用基盤。
【請求項３】
前記面状部は、平面部から構成され、前記平面部の少なくとも一部が傾斜することで前記滞留域及び前記遮光域が形成される請求項１または２に記載のサンゴ増殖用基盤。
【請求項４】
前記面状部が凸面及び凹面を有する湾曲面部から構成され、
前記湾曲面部の一方の凹面側に他方の凸面の少なくとも一部が入り込むことで前記滞留域及び前記遮光域が形成される請求項１または２に記載のサンゴ増殖用基盤。
【請求項５】
略ドーム形状を有する中央ドーム部と、凸面及び凹面を有する湾曲面部と、前記中央部及び前記湾曲面部を支持する支持部材と、を備え、
前記支持部材に前記中央ドーム部及び前記湾曲面部を、前記中央ドーム部の凸面の少なくとも一部が前記湾曲面部の凹面に入り込み滞留域及び遮光域を形成するように配置したことを特徴とするサンゴ増殖用基盤。
【請求項６】
前記湾曲面部が前記支持部材に対し着脱可能である請求項５に記載のサンゴ増殖用基盤。
【請求項７】
凸面及び凹面を有する略ドーム形状のドーム部と、前記ドームの頂点近傍で前記ドームを支持する支持部材と、を備え、
前記支持部材に前記ドーム部を少なくとも２つ、前記ドーム部の一方の凹面側に他方の凸面の少なくとも一部が入り込み滞留域及び遮光域を形成するように配置したことを特徴とするサンゴ増殖用基盤。
【請求項８】
前記支持部材は前記ドーム部に形成された孔に貫通して支持するように棒状に構成され、前記ドーム部が前記支持部材に対し着脱可能である請求項７に記載のサンゴ増殖用基盤。
【請求項９】
平面部と、内部に滞留域が形成されるように中空多角柱体状または中空円筒体状であり前記平面部から略直立した側面に孔を有する桝型部と、を備えることを特徴とするサンゴ増殖用基盤。
【請求項１０】
前記桝型部を支持する支持棒を備え、複数の前記桝型部を積み重ねて前記支持棒が前記桝型部の略中心に貫通して支持し、前記桝型部が前記支持棒に対し着脱可能である請求項９に記載のサンゴ増殖用基盤。
【請求項１１】
略Ｌ形状に構成されたベース部と、前記ベース部の両側に配置された側壁部と、前記ベース部から離れて前記両側壁部の間に延びて滞留域及び遮光域を形成するように配置された複数の棒状部と、を備えることを特徴とするサンゴ増殖用基盤。
【請求項１２】
請求項１乃至１１のいずれか１項に記載のサンゴ増殖用基盤を海中に設置し、前記サンゴ増殖用基盤内に滞留域及び遮光域を形成することを特徴とするサンゴ増殖方法。
【発明の詳細な説明】
【技術分野】
【０００１】
本発明は、サンゴのプラヌラ幼生の着生を促進させてサンゴを増殖させるためのサンゴ増殖用基盤及びサンゴ増殖方法に関する。
【背景技術】
【０００２】
サンゴ礁とは、サンゴなどの生物の石灰質骨格が積み重なって作る地形であり、生態系であり、サンゴ礁が作った石灰岩は地殻の一部となる。サンゴの体内には微細な藻類が共生していて、藻類の光合成によって宿主であるサンゴとサンゴ礁の生物を養っている。サンゴ礁は、海洋でもっとも種の多様性が高い生態系であるが、これは高い光合成生産とサンゴ礁地形が作った住み場所の多様性によって維持されている。また、サンゴ礁の光合成・石灰化ともに、大気の二酸化炭素を有機物・石灰岩として、生命圏と地殻に蓄積する機能をもっている（下記非特許文献１参照）。
【０００３】
サンゴは複雑な枝構造を持ち魚等の生物の隠れ場・餌場に好適であること等から、サンゴ礁は海中の多様な生物の生活場所を提供し、また、サンゴ自体もサンゴポリプ食性の魚の餌となるなどして、サンゴを中心とした生態系が調和を保っているが、近年、沿岸開発による赤土等の土砂流出（サンゴが窒息する）、オニヒトデの大量発生（サンゴを食する）、異常高温での白化現象（サンゴの体内にいる藻類が高水温のため抜け出す）等の原因からサンゴが死滅してしまい、サンゴ礁生態系の破壊が問題となっている。
【０００４】
上述のような土砂流出やオニヒトデによる食害や高水温による白化現象等により危機的な状況にあるサンゴ礁の保全・再生が望まれている。このため、サンゴの増殖方法として、近年、現地海域でサンゴのプラヌラ幼生（以下、「幼生」ともいう。）を採取し、別の場所へ移動後、人工的に基盤に着生させ種苗育成後に現地海域へ戻すという方法があるが、採取、運搬、種苗育成などの工程でかなりのコストが掛かるという問題がある。一方、現地の幼生を採取せず、幼生が着生できるコンクリートブロックなどの基盤を現地海域に設置する方法はコストが安く、実際、消波ブロック等の表面にサンゴが生育する事例も数多く存在する。
【０００５】
また、幼生を効率的に基盤に着生させるため、基盤を加工することにより着生を促進させる方法があり、例えば、下記特許文献１のように、幼生の着底用の穴を有する構造が提案されている。また、下記特許文献２のように、拡散防止手段により幼生を基盤に着生させる装置も提案されているが、波浪等の外力により拡散防止装置の維持が困難になることが懸念される。また、下記特許文献３は、着床板部、スペーサー部及び１つの挿入部からなる幼生着生器具を提案しているが、この着生器具は積極的に流れの制御などを行うものではない。
【非特許文献１】東京大学大学院理学系研究科地球惑星科学専攻地球惑星システム科学講座「サンゴ礁とは」［平成１８年１１月１７日検索］、インターネット＜ＵＲＬ：http://www-sys.eps.s.u-tokyo.ac.jp/~coral/contents/kenkyu/01.html）
【特許文献１】特開２００５−２６４４８５号公報
【特許文献２】特開２００３−２１９７５１号公報
【特許文献３】特開２００３−６１５０６号公報
【発明の開示】
【発明が解決しようとする課題】
【０００６】
本発明は、低コストでかつサンゴの幼生を効率的に着生させてサンゴの増殖を図ることのできるサンゴ増殖用基盤及びサンゴ増殖方法を提供することを目的とする。
【課題を解決するための手段】
【０００７】
サンゴが増殖する過程において、サンゴが有性生殖する段階では、幼生が岩礁などの基盤に着生する必要がある。しかし、幼生の着生特性は海底面の流動環境の影響を受け、流速が速くなると幼生の着生率が下がるという知見がある。また、赤土などの堆積があると幼生の着生に影響を及ぼすことが指摘されているが、堆積物の多い水平面よりも垂直面に数多く着生するという報告もある。また、幼生が着生するためには着生基盤の表面に石灰紅藻などの生物皮膜が必要であり、その石灰紅藻の生育には遮光が効果的であるという知見もある（山木克則・渡邉晋也・迫田恵三・上野信平（2005）「無節サンゴモの着生促進による造礁サンゴの着生技術に関する現地実験」日本サンゴ礁学会第８回大会講演要旨集パネル４７参照）。
【０００８】
以上のような従来の知見に更に検討・研究を加え、流速を低減させて滞留域を形成し、赤土などの堆積を避けることのできる垂直面あるいは斜面（更には下向き面）を有し、適度な遮光域を有する基盤にすると効率的にサンゴの幼生が着生できるとの知見が得られ、本発明はかかる知見に基づいてなされたものである。
【０００９】
すなわち、上記目的を達成するために、本発明による第１のサンゴ増殖用基盤は、隔置した少なくとも２つの面状部と、前記面状部を支持する支持部材と、を備え、前記面状部間の隙間に対し海水が流入し易くかつ流れ方向が反転したとき流出し難くかつ前記面状部間の少なくとも一部に滞留域及び遮光域が形成されるように前記面状部を配置したことを特徴とする。
【００１０】
このサンゴ増殖用基盤によれば、面状部がサンゴのプラヌラ幼生を着生させるための基質となり、海中に設置されると、隔置した面状部間に形成される隙間に対し、一定方向からの流れが流入し易く、流れとともに幼生も流入し、流れが反転したとき、一定方向と反対方向からの流れが流入し難くなるため滞留域を効率的に形成することができ、この滞留域においてサンゴの幼生が流され難くなり、面状部の基質に着生し易くなる。また、面状部間に遮光域が形成されることで、石灰紅藻などの生物皮膜の生育に必要な遮光を効果的に得ることができ、幼生の着生促進に寄与できる。
【００１１】
上記サンゴ増殖用基盤において、前記面状部が前記支持部材に対し着脱可能に構成されることが好ましい。面状部を支持部材から取り外すことで、基質に着生した幼生がある程度成長した段階で別海域に移設することが可能となり、また、新たな面状部を取り付けることができる。
【００１２】
また、前記面状部は、平面部から構成され、前記平面部の少なくとも一部が傾斜することで前記滞留域及び前記遮光域が形成されることが好ましい。平面部の少なくとも一部が傾斜して重なることで、滞留域及び遮光域を効率的に形成できる。また、平面部が垂直面乃至斜面になるので、赤土などの堆積による幼生着生への悪影響を避けることができ、幼生の着生の促進を図ることができる。なお、面状部は、少なくとも一部が傾斜した平板形状や略半多角錐形状から構成できる。
【００１３】
また、前記面状部が凸面及び凹面を有する湾曲面部から構成され、前記湾曲面部の一方の凹面側に他方の凸面の少なくとも一部が入り込むことで前記滞留域及び前記遮光域が形成されることが好ましい。これにより、湾曲面部の凸面と隣の湾曲面部の凹面とが重なって形成される隙間に対し、一定方向からの流れが流入し易く、流れとともに幼生も流入し、流れが反転したとき、一定方向と反対方向からの流れが流入し難くなるため滞留域を効率的に形成することができ、この滞留域においてサンゴの幼生が流され難くなり、凸面、凹面の基質に着生し易くなる。また、凸面と凹面とが重なって遮光域が効率的に形成されることで、石灰紅藻などの生物皮膜の生育に必要な遮光を効果的に得ることができ、幼生の着生促進に寄与できる。更に、各凸面及び各凹面が垂直面乃至斜面になるので、赤土などの堆積による幼生着生への悪影響を避けることができ、幼生の着生の促進を図ることができる。
【００１４】
なお、前記湾曲面部を前記各凸面がほぼ同一方向を向くように並べることが好ましく、これにより、凸面と凹面とによる隙間を効率的に形成することができる。または、前記湾曲面部を前記各凸面の向きが徐々に変化して円状や長円状等の環状または半円状等の弧状になるように並べることが好ましく、これにより、凸面と凹面とによる隙間を効率的に形成することができる。また、前記湾曲面部は、略半ドーム形状または略半円錐形状であり、略半分にされた半割部で前記支持部材により支持されることが好ましい。この場合、支持部材は板状に構成でき、半割状の湾曲面部を板上に並べることができ、板状の支持部材を海底に置くようにして設置できる。
【００１５】
本発明による第２のサンゴ増殖用基盤は、略ドーム形状を有する中央ドーム部と、凸面及び凹面を有する湾曲面部と、前記中央部及び前記湾曲面部を支持する支持部材と、を備え、前記支持部材に前記中央ドーム部及び前記湾曲面部を、前記中央ドーム部の凸面の少なくとも一部が前記湾曲面部の凹面に入り込み滞留域及び遮光域を形成するように配置したことを特徴とする。
【００１６】
このサンゴ増殖用基盤によれば、中央ドーム部の凸面及び湾曲面部の凹面がサンゴのプラヌラ幼生を着生させるための基質となり、海中に設置されると、中央ドーム部の凸面と湾曲面部の凹面とが重なって形成される隙間に対し、一定方向からの流れが流入し易く、流れとともに幼生も流入し、流れが反転したとき、一定方向と反対方向からの流れが流入し難くなるために滞留域を効率的に形成することができ、この滞留域においてサンゴの幼生が流され難くなり、凸面、凹面に着生し易くなる。また、凸面と凹面とが重なって遮光域が形成されることで、石灰紅藻などの生物皮膜の生育に必要な遮光を効果的に得ることができ、幼生の着生促進に寄与できる。更に、中央ドーム部の凸面及び湾曲面部の凹面が垂直面乃至斜面になることができるので、赤土などの堆積による幼生着生への悪影響を避けることができ、幼生の着生の促進を図ることができる。
【００１７】
上記サンゴ増殖用基盤において前記湾曲面部が前記支持部材に対し着脱可能に構成されることが好ましい。湾曲面部を支持部材から取り外すことで、基質に着生した幼生がある程度成長した段階で別海域に移設することが可能となり、また、新たな湾曲面部を取り付けることができる。
【００１８】
なお、複数の前記湾曲面部を前記中央ドーム部の周囲に配置することが好ましく、これにより、滞留域及び遮光域を形成する隙間を効率的に形成できる。また、前記湾曲面部は、略半ドーム形状または略半円錐形状であり、略半分にされた半割部で前記支持部材により支持されることが好ましい。この場合、支持部材は板状に構成でき、半割状の湾曲面部を板上に並べることができ、板状の支持部材を海底に置くようにして設置できる。
【００１９】
本発明による第３のサンゴ増殖用基盤は、凸面及び凹面を有する略ドーム形状のドーム部と、前記ドームの頂点近傍で前記ドームを支持する支持部材と、を備え、前記支持部材に前記ドーム部を少なくとも２つ、前記ドーム部の一方の凹面側に他方の凸面の少なくとも一部が入り込み滞留域及び遮光域を形成するように配置したことを特徴とする。
【００２０】
このサンゴ増殖用基盤によれば、ドーム部の凸面及び凹面がサンゴのプラヌラ幼生を着生させるための基質となり、海中に設置されると、ドームの凸面と隣のドーム部の凹面とが重なって形成される隙間に対し、一定方向からの流れが流入し易く、流れとともに幼生も流入し、流れが反転したとき、一定方向と反対方向からの流れが流入し難くなるため滞留域を効率的に形成することができ、この滞留域においてサンゴの幼生が流され難くなり、凸面、凹面の基質に着生し易くなる。また、凸面と凹面とが重なって遮光域が形成されることで、石灰紅藻などの生物皮膜の生育に必要な遮光を効果的に得ることができ、幼生の着生促進に寄与できる。また、各凸面及び各凹面が垂直面乃至斜面になるので、赤土などの堆積による幼生着生への悪影響を避けることができ、幼生の着生の促進を図ることができる。更に、支持棒を海底に直立して設置できるので、設置面積が少なくて済み、少ない占有面積で幼生の着生面を大幅に確保することが可能である。
【００２１】
上記サンゴ増殖用基盤において、前記ドーム部が前記支持部材に対し着脱可能であることが好ましい。ドーム部を支持部材から取り外すことで、基質に着生した幼生がある程度成長した段階で別海域に移設することが可能となり、また、新たなドーム部を取り付けることができる。
【００２２】
また、前記支持部材は前記ドーム部に形成された孔に貫通して支持するように棒状に構成されることが好ましい。なお、前記ドーム部の凹面が上側を向くように配置されるように構成でき、凹面と反対側の下側を向く凸面に遮光域を効率的に形成でき、赤土などの堆積がなく、幼生が着生できる。または、前記ドーム部の凸面が上側を向くように配置されるように構成でき、凸面と反対側の下側を向け凹面に遮光域を効率的に形成でき、赤土などの堆積がなく、幼生が着生できる。
【００２３】
本発明による第４のサンゴ増殖用基盤は、平面部と、内部に滞留域が形成されるように中空多角柱体状または中空円筒体状であり前記平面部から略直立した側面に孔を有する桝型部と、を備えることを特徴とする。
【００２４】
このサンゴ増殖用基盤によれば、桝型部の内面の側面や平面部がサンゴのプラヌラ幼生を着生させるための基質となり、海中に設置されると、桝型部内に孔から流れが流入し易くなる部分と、流れが流入し難くなる部分とが形成され、流入し易くなる部分に流れとともに幼生も流入し、流れが反転したとき、流入し難くなる部分で滞留域を効率的に形成することができ、この滞留域においてサンゴの幼生が流され難くなり、桝型部の内面の側面や平面部に着生し易くなる。また、内面に遮光域が形成されることで、石灰紅藻などの生物皮膜の生育に必要な遮光を効果的に得ることができ、幼生の着生促進に寄与できる。更に、側面が略垂直面になるので、赤土などの堆積による幼生着生への悪影響を避けることができ、幼生の着生の促進を図ることができる。
【００２５】
上記サンゴ増殖用基盤において前記桝型部を支持する支持棒を備え、複数の前記桝型部を積み重ねて前記支持棒が前記桝型部の略中心に貫通して支持することが好ましい。この場合、支持棒を海底に略直立して設置できるので、少ない専有面積で幼生の着生面を大幅に確保できる。なお、前記複数の桝型部を積み重ねる場合、前記平面部が底面を構成するようにできる。底面と反対側の下向きの面に遮光域を効率的に形成でき、赤土などの堆積がなく、幼生が着生できる。または、前記複数の桝型部を積み重ねる場合、前記平面部が天井部を構成するようにでき、この場合、天井部の下向きの面に遮光域を効率的に形成でき、赤土などの堆積がなく、幼生が着生できる。また、前記桝型部が多角柱体状の場合、各側面に前記孔を有することが好ましい。この場合、複数の前記桝型部を前記各孔が連通するように前記各側面が突き合わされて前記支持部材上に平面的に配置するように構成できる。
【００２６】
なお、前記桝型部を支持する支持部材を備え、複数の前記桝型部を前記支持部材上に平面的に配置するようにしてもよい。この場合、支持部材は板状に構成でき、桝型部を板上に並べることができ、板状の支持部材を海底に置くようにして設置できる。
【００２７】
また、前記桝型部が前記支持部材または前記支持棒に対し着脱可能であることが好ましい。桝型部を支持部材または支持棒から取り外すことで、基質に着生した幼生がある程度成長した段階で別海域に移設することが可能となり、また、新たな桝型部を取り付けることができる。
【００２８】
本発明による第５のサンゴ増殖用基盤は、略Ｌ形状に構成されたベース部と、前記ベース部の両側に配置された側壁部と、前記ベース部から離れて前記両側壁部の間に延びて滞留域及び遮光域を形成するように配置された複数の棒状部と、を備えることを特徴とする。
【００２９】
このサンゴ増殖用基盤によれば、棒状部の周囲・側壁部の内面・ベース部の内面がサンゴのプラヌラ幼生を着生させるための基質となり、海中に設置されると、複数の棒状部により、棒状部の周囲・側壁部の内面・ベース部の内面において、外部から流れが流入し易くなる部分と、流れが流入し難くなる部分とが形成され、流入し易くなる部分に流れとともに幼生も流入し、流れが反転したとき、流入し難くなる部分で滞留域を効率的に形成することができ、この滞留域においてサンゴの幼生が流され難くなり、棒状部の周囲や側壁部の内面やベース部の内面に着生し易くなる。また、複数の棒状部により遮光域が形成されることで、石灰紅藻などの生物皮膜の生育に必要な遮光を効果的に得ることができ、幼生の着生促進に寄与できる。更に、棒状部の周囲や側壁部の内面やベース部の内面が垂直面乃至斜面になるので、赤土などの堆積による幼生着生への悪影響を避けることができ、幼生の着生の促進を図ることができる。
【００３０】
なお、上記サンゴ増殖用基盤において前記両側壁部の一方を省略することができる。また、上述の第５のサンゴ増殖用基盤を複数組み合わせてサンゴ増殖用基盤を構成できる。
【００３１】
本発明によるサンゴ増殖方法は、上述のサンゴ増殖用基盤を海中に設置し、前記サンゴ増殖用基盤内に滞留域及び遮光域を形成することを特徴とする。
【００３２】
このサンゴ増殖方法によれば、上述のサンゴ増殖用基盤を海中に設置することで、サンゴ増殖用基盤において、外部から流れが流入し易くなる部分と、流れが流入し難くなる部分とが形成され、流入し易くなる部分に流れとともに幼生も流入し、流れが反転したとき、流入し難くなる部分で滞留域を効率的に形成することができ、この滞留域においてサンゴの幼生が流され難くなり、サンゴ増殖用基盤に着生し易くなる。また、遮光域が形成されることで、石灰紅藻などの生物皮膜の生育に必要な遮光を効果的に得ることができ、幼生の着生を促進できる。
【００３３】
なお、上記サンゴ増殖方法において前記サンゴ増殖用基盤により垂直面乃至斜面が形成されるように前記サンゴ増殖用基盤を海中に設置することが好ましい。斜面には天井面等の下向きの面も含まれる。これにより、サンゴ増殖用基盤に垂直面乃至斜面ができるので、赤土などの堆積による幼生着生への悪影響を避けることができ、幼生の着生の促進を図ることができる。また、サンゴ増殖用基盤に天井部や下向きの面もできるので、遮光域を効率的に形成でき、赤土などの堆積がなく、幼生の着生の促進を図ることができる。
【００３４】
なお、本明細書において、遮光とは、サンゴ増殖用基盤の基質において海水を通して入射する太陽光を少なくとも部分的に遮ることである。
【発明の効果】
【００３５】
本発明のサンゴ増殖用基盤及びサンゴ増殖方法によれば、低コストでかつサンゴの幼生を効率的に着生させてサンゴの有性生殖による増殖を図ることができる。
【発明を実施するための最良の形態】
【００３６】
以下、本発明を実施するための最良の形態について図面を用いて説明する。
【００３７】
〈第１の実施の形態〉
【００３８】
図１は第１の実施の形態によるサンゴ増殖用基盤を概略的に示す平面図である。図２は図１のサンゴ増殖用基盤を概略的に示す側面図である。図３は、図１，図２のサンゴ増殖用基盤の支持板の平面図である。図４は図３の支持板をIV-IV線方向に切断してみた断面図である。図５は図１，図２のサンゴ増殖用基盤を概略的に示す斜視図である（図１よりも半ドーム部の個数を減らして示している。）。
【００３９】
図１乃至図５のように、サンゴ増殖用基盤１０は、効率的にサンゴの幼生を着生させる基盤であって、四角形板状の支持板１１と、湾曲面部（面状部）として支持板１１に取り付けられて支持された複数の半ドーム部１２と、を備える。
【００４０】
各半ドーム部１２は、図１，図２，図５のように、所定の肉厚ｔのドーム状物を中心軸方向に沿って半割にした形状を有し、半割にされた略半円状の半割部１２ａ（図４の破線で示す）で支持板１１に支持される。
【００４１】
半ドーム部１２は、図のように支持板１１に支持されたとき、外側に凸状湾曲面となって位置する凸面１４と、内側に凹状湾曲面となって位置する凹面１５と、を有し、凸面１４及び凹面１５がサンゴのプラヌラ幼生を着生させるための基質となる。
【００４２】
支持板１１には、図４，図５のように、その平坦な表面１１ａ上に、半ドーム部１２の半割部１２ａの形状に対応した略半円状の溝１３が複数形成されている。半ドーム部１２は、図４の破線で示すように略半円状の半割部１２ａから略半円状の溝１３にはめ込まれて支持板１１に取り付けられる。なお、略半円状の溝１３に取り付けられた半ドーム部１２は、引き抜くことで、溝１３から取り外すことができるようになっている。
【００４３】
複数の半ドーム部１２は、支持板１１に取り付けられると、図１，図２，図５のように、各凸面１４が一定方向Ａを向いてほぼ一列に並ぶように配置される。半ドーム部１２の凸面１４の少なくとも一部が隣り合う別の半ドーム部１２の凹面１５に入り込むことで、凸面１４と凹面１５が離隔した状態で部分的に重なり合う。これにより、半ドーム部１２の頂点近傍において凸面１４と凹面１５との間に隙間１９が形成され、凸面１４と凹面１５との間の基質の内部には基質内スペースＤが形成される。
【００４４】
なお、サンゴ増殖用基盤１０の支持板１１は、コンクリートやセラミックからつくることができる。半ドーム部１２は樹脂から成形によりつくることができ、また、セラミックやコンクリートや金属板からつくってもよい。支持板１１をコンクリートからつくるときは、半ドーム部１２をコンクリートに差し込んで図４の略半円状の溝１３を複数形成するようにしてもよい。
【００４５】
図１乃至図５のサンゴ増殖用基盤１０によれば、支持板１１と複数の半ドーム部１２とから簡単に構成できるので、低コストで製造でき、また、海中に設置されると、図１，図２のように、波による振動流の分流が一定方向Ａから流れて凸面１４と凹面１５との間の隙間１９から流れ込み方向Ｃのように基質内スペースＤに入り込み易く、この入り込み段階で幼生も流入し、分流が一定方向Ａの反対方向Ｂに反転したときには基質内スペースＤから流出し難い構造となっている。このため、図２のように、基質内スペースＤにおいて、凹面１５に覆われた凸面１４に流れの滞る滞留域１６が形成され、また、凹面１５に流れの滞る滞留域１７が形成され、滞留域１６，１７及びその近傍から幼生が流され難くなるので、滞留域１６，１７の凹面１５、凸面１４に幼生が着生し易くなる。
【００４６】
サンゴ増殖用基盤１０は、各半ドーム部１２の凸面１４と凹面１５が垂直面乃至斜面となって海中に設置されるので、赤土などが凸面１４と凹面１５の表面に堆積し難い構造であり、赤土堆積よる悪影響を避けることができる。
【００４７】
また、半ドーム部１２の基質内スペースＤには凹面１５が下方を向きかつ凸面１４が隣の半ドーム部１２に部分的に覆われて適度な遮光域が形成されるので、石灰紅藻などの生物皮膜の生育に必要な遮光を効果的に得ることができる。
【００４８】
また、各半ドーム部１２は、それぞれ支持板１１から取り外しが可能であるから、基質に着生した幼生がある程度成長した段階で別海域に移設することも可能であり、また、新たな半ドーム部１２を支持板１１に取り付けることもできる。
【００４９】
次に、第１の実施の形態の別の例について図２３を参照して説明する。図２３は第１の実施の形態の別の例のサンゴ増殖用基盤を概略的に示す側面図である。
【００５０】
図２３のサンゴ増殖用基盤１０’は、効率的にサンゴの幼生を着生させる基盤であって、四角形板状の支持板１１と、面状部として支持板１１に離れて配置され取り付けられた複数の平板部１８と、を備える。各平板部１８はサンゴのプラヌラ幼生を着生させるための基質となる略平坦な両面１８ａ、１８ｂを有する。
【００５１】
各平板部１８は、支持板１８の表面１１ａの垂直方向から傾斜して取り付けられ、両面が図の上方を向く外側面１８ａと下方を向く内側面１８ｂになっている。支持板１１の表面１１ａ上には、図２３の破線のように、複数の平板部１８をはめ込み可能な直線状の溝１３ａが形成され、各平板部１８は、端部が溝１３ａにはめ込まれて支持板１１に取り付けられ、また、引き抜くことで溝１３ａから取り外すことができる。なお、図２３では平板部１８全体を傾斜させたが、例えば、下側部分を直立させて上側部分を傾斜させるようにしてもよい。
【００５２】
複数の平板部１８は、図２３のように、各外側面１８ａが方向Ｂに倒れるように傾斜してほぼ一列に並ぶように配置されており、隣の外側面１８ａと部分的に重なり合うことで、内側面１８ｂと隣の外側面１８ａとの間に隙間１９ａが形成され、内側面１８ｂと隣の外側面１８ａとの基質の内部には基質内スペースＤが形成される。
【００５３】
図２３のサンゴ増殖用基盤１０’によれば、支持板１１と複数の平板部１８とから簡単に構成できるので、低コストで製造でき、また、海中に設置されると、図２３のように、波による振動流の分流が一定方向Ａから流れて隙間１９ａから流れ込み方向Ｃのように基質内スペースＤに入り込み易く、この入り込み段階で幼生も流入し、分流が一定方向Ａの反対方向Ｂに反転したときには基質内スペースＤから流出し難い構造となっている。このため、基質内スペースＤにおいて、特に下側面１８ｂに流れの滞る滞留域１８ｃが形成され、滞留域１８ｃ及びその近傍から幼生が流され難くなるので、滞留域１８ｃの面１８ｂに幼生が着生し易くなる。
【００５４】
また、基質内スペースＤには各平板部１８の傾斜により適度な遮光域が形成されるので、石灰紅藻などの生物皮膜の生育に必要な遮光を効果的に得ることができる。また、サンゴ増殖用基盤１０’は、平板部１８が斜面となって海中に設置されるので、赤土などが平板部１８の表面に堆積し難い構造であり、赤土堆積よる悪影響を避けることができる。なお、平板部１８は樹脂・セラミック・コンクリート・金属板等からつくることができる。
【００５５】
次に、図６，図７を参照して図１乃至図５のサンゴ増殖用基盤の変形例を二例説明する。図６は図５のサンゴ増殖用基盤の半ドーム部を先端が切断された略半円錐部としたサンゴ増殖用基盤を概略的に示す斜視図である。図７は、図１乃至図５の半ドーム部を多数円周上に配置したサンゴ増殖用基盤を概略的に示す平面図である。
【００５６】
図６のサンゴ増殖用基盤１０Ａは、図５の半ドーム部の代わりに、先端が切断されて開口が形成されかつ中心軸方向に沿って半割にされた複数の略半円錐部１２Ａを一定方向に一列に並べたものである。複数の略半円錐部１２Ａは、凸面１４Ａの少なくとも一部が隣り合う凹面１５Ａに入り込んで、凸面１４Ａと凹面１５Ａが重なって、図２と同様にして滞留部を形成し、図１乃至図５と同様の作用効果を奏するものである。
【００５７】
図７は、図１乃至図５の複数の半ドーム部１２を凸面１４の向きを徐々に変えながら凸面１４の少なくとも一部が隣りの凹面１５に入り込んで、凸面１４と凹面１５が重なるように円環状に配置したものである。これにより、図２と同様にして滞留部を形成し、図１乃至図５と同様の作用効果を奏するものである。
【００５８】
なお、図７では、複数の半ドーム部１２を全周にわたって同じ間隔で配置したが、円周上で部分的に間隔を広げる等して変えて配置してもよい。また、配置形態は、円環状に限らず、長円状・半円状等の弧状であってもよい。
【００５９】
〈第２の実施の形態〉
【００６０】
図８は第２の実施の形態によるサンゴ増殖用基盤を概略的に示す平面図である。図９は図８のサンゴ増殖用基盤を概略的に示す側面図である。図１０は図８，図９のサンゴ増殖用基盤を概略的に示す斜視図である。
【００６１】
図８乃至図１０のように、サンゴ増殖用基盤２０は、効率的にサンゴの幼生を着生させる基盤であって、略正方形板状の支持板２１と、支持板２１の略中央で支持されて外面に凸状湾曲面の凸面２４を有する略ドーム形状の中央ドーム部２３と、中央ドーム部２３の周囲に配置されて湾曲面部として支持板２１に取り付けられて支持された複数の半ドーム部２２と、を備える。
【００６２】
各半ドーム部２２は、図１，図２，図５の半ドーム部１２と同様に、所定の肉厚ｔのドーム状物を半割にした形状を有し、半割にされた略半円状の半割部（図４の破線で示す半割部１２ａと同様のもの）で支持板２１に支持される。
【００６３】
半ドーム部２２は、図９のように支持板２１に支持されたとき、外側に凸状湾曲面となって位置する凸面２６と、内側に凹状湾曲面となって位置する凹面２５と、を有し、凹面２５が中央ドーム部２３の凸面２４とともにサンゴのプラヌラ幼生を着生させるための基質となる。
【００６４】
支持板２１には、図４，図５と同様に、半ドーム部２２の半割部の形状に対応した略半円状の溝が複数形成されており、半ドーム部２２は、略半円状の半割部から略半円状の溝にはめ込まれて支持板２１に取り付けられる。なお、略半円状の溝に取り付けられた半ドーム部２２は、引き抜くことで、溝から取り外すことができる。
【００６５】
複数の半ドーム部２２は、中央ドーム部２３を包囲するように支持板２１に取り付けられると、図８〜図１０のように、中央ドーム部２３の凸面２４の少なくとも一部が各半ドーム部２２の凹面２５に入り込むことで、凸面２４と凹面２５が離隔した状態で部分的に重なり合う。これにより、半ドーム部２２の頂点近傍において凸面２４と凹面２５との間に隙間２９が形成され、凸面２４と凹面２５との間の基質の内部には基質内スペースＤが形成される。
【００６６】
なお、サンゴ増殖用基盤２０の支持板２１は、コンクリートやセラミックからつくることができる。半ドーム部２２、中央ドーム部２３は樹脂から成形によりつくることができ、また、セラミックやコンクリートや金属板からつくってもよい。支持板２１をコンクリートからつくるときは、半ドーム部２２をコンクリートに差し込んで略半円状の溝を複数形成するようにしてもよい。
【００６７】
図８乃至図１０のサンゴ増殖用基盤２０によれば、支持板２１と中央ドーム部２３と複数の半ドーム部２２とから簡単に構成できるので、低コストで製造でき、また、海中に設置されると、図９のように、波による振動流の分流が一定方向Ｅ，Ｅ’から流れて凸面２４と凹面２５との間の隙間２９から方向Ｇのように基質内スペースＤに入り込み易く、この入り込み段階で幼生も流入し、分流が一定方向Ｅ，Ｅ’の反対方向Ｆ，Ｆ’に反転したときには基質内スペースＤから流出し難い構造となっている。このため、基質内スペースＤにおいて、図２と同様に、凹面２５に覆われた凸面２４に流れの滞る滞留域２７が形成され、また、凹面２５に流れの滞る滞留域２８が形成され、滞留域２７，２８及びその近傍から幼生が流され難くなるので、滞留域２７，２８の凹面２５、凸面２４に幼生が着生し易くなる。
【００６８】
サンゴ増殖用基盤２０は、中央ドーム部２３の凸面２４と各半ドーム部２２の凹面１５が垂直面乃至斜面となって海中に設置されるので、赤土などが凸面２４と凹面２５の表面に堆積し難い構造であり、赤土堆積による悪影響を避けることができる。また、基質内スペースＤには半ドーム部２２の凹面２５が下側を向きかつ中央ドーム部２３の凸面２４が半ドーム部２２に部分的に覆われて適度な遮光域が形成されるので、石灰紅藻などの生物皮膜の生育に必要な遮光を効果的に得ることができる。
【００６９】
また、各半ドーム部２２は、それぞれ支持板２１から取り外しが可能であるから、基質に着生した幼生がある程度成長した段階で別海域に移設することも可能であり、また、新たな半ドーム部２２を支持板２１に取り付けることもできる。
【００７０】
〈第３の実施の形態〉
【００７１】
図１１は第３の実施の形態によるサンゴ増殖用基盤の部分を示す側面図（ａ）及び平面図（ｂ）である。図１２は第３の実施の形態によるサンゴ増殖用基盤を概略的に示す側面図である。
【００７２】
図１１，図１２に示すように、サンゴ増殖用基盤３０は、効率的にサンゴの幼生を着生させる基盤であって、丸棒状の支持棒３１と、支持棒３１が貫通して支持されて外面に凸状湾曲面の凸面３４と内面に凹状湾曲面の凹面３５を有する略ドーム形状の複数のドーム部３２と、を備える。
【００７３】
図１１（ａ）、（ｂ）のように、ドーム部３２は、お椀型形状であり、外側底部に突き出て中心に貫通した中心孔３３ａを有する補強部３３を備え、中心孔３３ａに支持棒３１が貫通するようになっており、凸面３４及び凹面３５がサンゴのプラヌラ幼生を着生させるための基質となる。
【００７４】
サンゴ増殖用基盤３０は、図１２のように、凹面３５を上側にしてドーム部３２を順々に支持棒３１に差し込み、ドーム部３２の凸面３４の少なくとも１部が隣のドーム部３２の凹面３５に入り込むようにして取り付けて支持している。ドーム部３２は支持棒３１から引き抜いて取り外すことができる。
【００７５】
ドーム部３２は、凸面３４が下向きで、凹面３５が上向きになっており、凸面３４と凹面３５が離隔した状態で部分的に重なり合うことで、凹面３５の開放端面（図１２の上端）の周囲に沿って上部の凸面３４との間に隙間３９が形成され、凸面３４と凹面３５との間の基質の内部には基質内スペースＤが形成される。
【００７６】
なお、サンゴ増殖用基盤３０の支持棒３１は、鉄鋼等の金属や樹脂からつくることができる。ドーム部３２は樹脂から成形によりつくることができ、また、セラミックやコンクリートや金属板からつくってもよい。
【００７７】
図１１，図１２のサンゴ増殖用基盤３０によれば、支持棒３１と複数のドーム部３２とから簡単に構成できるので、低コストで製造でき、海底に例えば支持棒３１を略直立に突き刺すようにして設置されると、波による振動流の分流が一定方向から流れて凸面３４と凹面３５との間の隙間２９から基質内スペースＤに入り込み易く、この入り込み段階で幼生も流入し、分流が一定方向の反対方向に反転したときには基質内スペースＤから流出し難い構造となっている。このため、基質内スペースＤにおいて、凸面３４に覆われた凹面３５に流れの滞る滞留域３７が形成され、また、傾斜乃至下向きの凸面３４に流れの滞る滞留域３６が形成され、滞留域３６，３７及びその近傍から幼生が流され難くなるので、滞留域３６，３７の凸面３４，凹面３５に幼生が着生し易くなる。
【００７８】
サンゴ増殖用基盤３０は、ドーム部３２の凸面３４と凹面３５が垂直面乃至斜面、下向きの面となって海中に設置されるので、赤土などが凸面３４，凹面３５の表面に堆積し難い構造であり、赤土堆積による悪影響を避けることができる。また、基質内スペースＤにはドーム部３２の凸面３４が下側を向きかつ凹面３５の大部分が上方のドーム部３２に覆われて適度な遮光域が形成されるので、石灰紅藻などの生物皮膜の生育に必要な遮光を効果的に得ることができる。
【００７９】
また、ドーム部３２は、支持棒３１から取り外しが可能であるから、基質に着生した幼生がある程度成長した段階で別海域に移設することも可能であり、また、新たなドーム部３２を支持棒３１に取り付けることもできる。
【００８０】
また、サンゴ増殖用基盤３０は、複数のドーム部３２を鉛直方向に積み重ねたものであるので、設置面積が少なくて済み、少ない占有面積で幼生の着生面を大幅に確保することが可能である。
【００８１】
次に、図１３，図１４を参照して第３の実施の形態の変形例を二例説明する。図１３は図１２のサンゴ増殖用基盤の別の例を概略的に示す側面図である。図１４は図１２のサンゴ増殖用基盤を複数平面的に配置した例を概略的に示す平面図である。
【００８２】
図１３のサンゴ増殖用基盤３０Ａは、複数のドーム部３２を凸面３４が上向きに、凹面３５が下向きになるように配置した以外は、図１２と同様の構造であり、この場合、基質内スペースＤにおいて、凹面３５に覆われた凸面３４に流れの滞る滞留域３６Ａが形成され、また、傾斜乃至下向きの凹面３５に流れの滞る滞留域３７Ａが形成され、図１２と同様の作用効果を奏する。
【００８３】
なお、図１２，図１３のサンゴ増殖用基盤３０，３０Ａは、海底に対し略鉛直方向に設置するが、これに限らず、鉛直方向に傾斜して設置してもよく、横にして水平方向に設置してもよい。
【００８４】
図１４に示す例は、図１２のサンゴ増殖用基盤３０を複数、海底にそれぞれ略鉛直方向に差し込むようにして設置したものである。これによれば、少ない占有面積で幼生の着生面を大幅に確保することが可能である。なお、図１３のサンゴ増殖用基盤３０Ａも図１４と同様に設置することができ、サンゴ増殖用基盤３０と混在させてもよい。
【００８５】
〈第４の実施の形態〉
【００８６】
図１５は第４の実施の形態によるサンゴ増殖用基盤を示す側面図（ａ）及び平面図（ｂ）である。
【００８７】
図１５（ａ）、（ｂ）に示すように、サンゴ増殖用基盤４０は、効率的にサンゴの幼生を着生させる基盤であって、内部に滞留域が形成されるように中空部４９のある五角形柱体状の桝型部４１を備え、桝型部４１は、五角形を形成する５つの側面４２と、中央に孔４５ａを有する五角形状の底面４５と、を備える。各側面４２は、高さ方向の中程に孔４３をそれぞれ有する。
【００８８】
図１５（ａ）、（ｂ）のサンゴ増殖用基盤４０によれば、桝型部から簡単に構成できるので、低コストで製造でき、また、桝型部４１の各側面４２の内側壁面４４や底面４５がサンゴのプラヌラ幼生を着生させるための基質となり、海中に設置されると、桝型部４１の中空部４９内に孔４３から流れが流入し易くなる部分と、流れが流入し難くなる部分とが形成され、流入し易くなる部分に流れとともに幼生も流入し、流れが反転したとき、流入し難くなる部分で滞留域４７，４８を効率的に形成することができ、この滞留域４７，４８においてサンゴの幼生が流され難くなり、桝型部４１の内面の壁面４４や底面４５に着生し易くなる。また、内面の壁面４４に遮光域が形成されるので、石灰紅藻などの生物皮膜の生育に必要な遮光を効果的に得ることができ、幼生の着生促進に寄与できる。更に、壁面４４が略垂直面になるので、赤土などの堆積による幼生着生への悪影響を避けることができ、幼生の着生の促進を図ることができる。
【００８９】
なお、サンゴ増殖用基盤４０は樹脂・セラミック・コンクリート・金属板等からつくることができる。
【００９０】
次に、図１６，図１７，図１８を参照して第４の実施の形態の変形例を三例説明する。図１６は図１５のサンゴ増殖用基盤の別の例を概略的に示す側面図である。図１７は図１６のサンゴ増殖用基盤の別の例を概略的に示す側面図である。図１８は図１５のサンゴ増殖用基盤を複数平面的に配置した例を概略的に示す平面図である。
【００９１】
図１６のサンゴ増殖用基盤４０Ａは、図１５（ａ）、（ｂ）の複数の桝型部４１が中空部４９を上側にして順々に支持棒４６に底面４５の孔４５ａから差し込まれて構成されている。桝型部４１は支持棒４６から引き抜いて取り外すことができる。
【００９２】
図１７のサンゴ増殖用基盤４０Ｂは、図１５（ａ）、（ｂ）の複数の桝型部４１が中空部４９を下側にして順々に支持棒４６に底面（上面）４５の孔４５ａから差し込まれて構成されている。桝型部４１は支持棒４６から引き抜いて取り外すことができる。
【００９３】
図１６，図１７のサンゴ増殖用基盤４０Ａ，４０Ｂによれば、支持棒４６と、複数の桝型部４１とから簡単に構成できるので、低コストで製造でき、また、桝型部４１の内面の壁面４４や底面４５の反対側の下向きの面や天井面４５（図１７）がサンゴのプラヌラ幼生を着生させるための基質となり、海中に設置されると、各桝型部４１内に各孔４３から流れが流入し易くなる部分と、流れが流入し難くなる部分とが形成され、流入し易くなる部分に流れとともに幼生も流入し、流れが反転したとき、流入し難くなる部分で滞留域４７Ａ，４８Ａ，４７Ｂ，４８Ｂ，４９Ａを効率的に形成することができ、この各滞留域においてサンゴの幼生が流され難くなり、桝型部４１の内面の壁面４４や底面・天井面４５に着生し易くなる。また、中空部４９内に複数の桝型部４１を積み重ねて遮光域が形成されるので、石灰紅藻などの生物皮膜の生育に必要な遮光を効果的に得ることができ、幼生の着生促進に寄与できる。更に、壁面４４が略垂直面になり、また、底面４５の反対側の面や天井面４５が下向きになるので、赤土などの堆積による幼生着生への悪影響を避けることができ、幼生の着生の促進を図ることができる。
【００９４】
また、サンゴ増殖用基盤４０Ａ，４０Ｂは、複数の桝型部４１を鉛直方向に積み重ねたものであるので、設置面積が少なくて済み、少ない占有面積で幼生の着生面を大幅に確保することが可能である。
【００９５】
図１８のサンゴ増殖用基盤４０Ｃは、図１５の桝型部４１からなるサンゴ増殖用基盤４０を複数、支持板４６Ａ上に平面的に配置したものである。桝型部４１の一側面４２と隣の桝型部４１の一側面４２とを突き合わせて配置し、各一側面４２の各孔４３が連通し、各中空部４９が連通する。各桝型部４１は支持板４６Ａから取り外し、取り付けることができるようになっている。
【００９６】
図１８のサンゴ増殖用基盤４０Ｃによれば、図１５と同様の作用効果を奏するとともに、各中空部４９が孔４３により連通することで、より効率的に内部に滞留域を形成できる。
【００９７】
〈第５の実施の形態〉
【００９８】
図１９は第５の実施の形態によるサンゴ増殖用基盤を示す平面図である。図２０は図１９のサンゴ増殖用基盤を側面から内部を見た図である。
【００９９】
図１９，図２０に示すように、サンゴ増殖用基盤５０は、略Ｌ形状に構成された板状のベース部５１と、ベース部５１の両側に配置された板状の側壁部５３と、ベース部５１から離れて両側壁部５３の間に延びて滞留域を形成するように配置された複数の棒状部５２と、を備える。
【０１００】
図１９，図２０の棒状部５２は丸棒からなるが、角棒等であってもよい。また、側壁部５３は、図２０のように平面形状が三角形状であるが、四角形状であってもよく、また、いずれか一方の側壁部５３を省略してもよい。
【０１０１】
図１９，図２０のサンゴ増殖用基盤５０によれば、ベース部５１と側壁部５３と複数の棒状部５２とから簡単に構成できるので、低コストで製造でき、また、各棒状部５２の周囲・側壁部５３の内面５３ａ・ベース部５１の内面５１ａがサンゴのプラヌラ幼生を着生させるための基質となり、海中に設置されると、複数の棒状部５２により、棒状部５２の周囲・側壁部５３の内面・ベース部５１の内面において、外部から流れが流入し易くなる部分と、流れが流入し難くなる部分とが形成され、流入し易くなる部分に流れとともに幼生も流入し、流れが反転したとき、流入し難くなる部分で棒状部５２の周囲に滞留域５６やベース部５１の内面に滞留域５７を効率的に形成することができ、この滞留域５６，５７においてサンゴの幼生が流され難くなり、棒状部５２の周囲や側壁部５３の内面５３ａやベース部５１の内面５１ａに着生し易くなる。
【０１０２】
また、複数の棒状部５２により棒状部５２の周囲や内面５３ａ，５１ａに部分的に遮光域が形成されるので、石灰紅藻などの生物皮膜の生育に必要な遮光を効果的に得ることができ、幼生の着生促進に寄与できる。
【０１０３】
更に、棒状部５２の周囲や側壁部５３の内面５３ａやベース部５１の内面５１ａが垂直面乃至斜面になるので、赤土などの堆積による幼生着生への悪影響を避けることができ、幼生の着生の促進を図ることができる。
【０１０４】
なお、ベース部５１、棒状部５２、側壁部５３は、樹脂・セラミック・コンクリート・金属板等からつくることができる。
【０１０５】
次に、図１９，図２０のサンゴ増殖用基盤５０を複数組み合わせてサンゴ増殖用基盤組立体を構成した例について図２１を参照して説明する。
【０１０６】
図２１は、図１９，図２０のサンゴ増殖用基盤を複数組み合わせて構成したサンゴ増殖用基盤組立体を示す斜視図である。
【０１０７】
図２１に示すように、サンゴ増殖用基盤組立体６０は、図１９，図２０のサンゴ増殖用基盤５０を複数組み合わせて、全体として略立方体状に構成され、サンゴ増殖用基盤５０を四隅に縦方向に配置するとともに、サンゴ増殖用基盤５０を四面の各面に隙間Ｈが形成されるように離隔して横方向に二段配置したものである。
【０１０８】
図２１のサンゴ増殖用基盤組立体６０によれば、図１９，図２０と同様の作用効果を奏するとともに、設置面積が少なくて済み、少ない占有面積で幼生の着生面を大幅に確保することが可能である。
【０１０９】
また、サンゴ増殖用基盤組立体６０は、複数のサンゴ増殖用基盤５０を、図２１のように、各ベース部５１の背面側と各側壁部５３の裏面側とを面合わせしてねじ等により着脱可能に固定でき、特別な他の部材が必要ないので、低コストに構成できる。
【０１１０】
〈第６の実施の形態〉
【０１１１】
図２２は第６の実施形態による上記各サンゴ増殖用基盤を複数組み合わせたサンゴ増殖用基盤組立体を示す斜視図である。
【０１１２】
図２２に示すように、サンゴ増殖用基盤組立体７０は、図１２の複数のサンゴ増殖用基盤３０と、図１３の複数のサンゴ増殖用基盤３０Ａと、図１６の複数のサンゴ増殖用基盤４０Ａと、を四角形状の支持板７１上に各支持棒３１，３１，４６を突き刺すように直立させて配置したものである。
【０１１３】
サンゴ増殖用基盤組立体７０は、各サンゴ増殖用基盤３０，３０Ａ，４０Ａを支持するために、支持板７１の四隅に縦部材７２を直立させて配置し、各縦部材７２とそれらの上端で連結するように横部材７３を水平方向に配置し、更に、複数の横部材７５，７６を横部材７３と平行に縦横に配置し、縦横に配置した横部材７５，７６の各交差部７７で各サンゴ増殖用基盤３０，３０Ａ，４０Ａの各支持棒３１，３１，４６を各上端で支持するようになっている。
【０１１４】
図２２のサンゴ増殖用基盤組立体７０によれば、図１２，図１３，図１６と同様の作用効果を奏するとともに、設置面積が少なくて済み、少ない占有面積で幼生の着生面を大幅に確保することが可能である。
【０１１５】
以上、本実施の形態の各サンゴ増殖用基盤１０〜５０及びサンゴ増殖用基盤組立体６０，７０によれば、流速を低減させて滞留域を形成し幼生の着生を促す構造、また、赤土などの堆積物が溜まりにくい構造、更に、適度な遮光域を有する着生基盤（基質）構造を低コストで確実に得ることができるので、低コストでサンゴの幼生を効率的に着生させサンゴの有性生殖による増殖に寄与できる。
【０１１６】
以上のように本発明を実施するための最良の形態について説明したが、本発明はこれらに限定されるものではなく、本発明の技術的思想の範囲内で各種の変形が可能である。例えば、図５において半ドーム部１２の細くなった先端側を切断して開口を形成してもよい。また、図１０において半ドーム部１２は全体形状を保ったまま更に２分割してもよい。
【０１１７】
また、図１５〜図１８では、桝型部４１を五角形柱体状としたが、本発明はこれに限定されず、四角形または六角形以上としてもよく、また、円筒体状としてもよく、円筒体の場合、孔４３は滞留部を効率的に形成可能なように適宜の位置に適宜の個数で設けることができる。また、図１５〜図１８において、滞留部を効率的に形成するために、各側面４２における孔４３は一部を省略し、孔のない側面としてもよく、また、孔４３を複数としてもよく、更に、孔４３の径は適宜設定できる。
【０１１８】
なお、各図における滞留域１６，１７，１８ｃ，２７，２８，３６，３７，４７，４８，４７Ａ，４８Ａ，４７Ｂ，４８Ｂ，５６，５７に関し、図示した形状及び位置は説明の便宜上のものであるため、おおよそのものであり、実際の形状・位置は異なる場合がある。
【図面の簡単な説明】
【０１１９】
【図１】第１の実施の形態によるサンゴ増殖用基盤を概略的に示す平面図である。
【図２】図１のサンゴ増殖用基盤を概略的に示す側面図である。
【図３】図１，図２のサンゴ増殖用基盤の支持板の平面図である。
【図４】図３の支持板をIV-IV線方向に切断してみた断面図である。
【図５】図１，図２のサンゴ増殖用基盤を概略的に示す斜視図である
【図６】図５のサンゴ増殖用基盤の半ドーム部を先端が切断された略半円錐部としたサンゴ増殖用基盤を概略的に示す斜視図である。
【図７】図１乃至図５の半ドーム部を多数円周上に配置したサンゴ増殖用基盤を概略的に示す平面図である。
【図８】第２の実施の形態によるサンゴ増殖用基盤を概略的に示す平面図である。
【図９】図８のサンゴ増殖用基盤を概略的に示す側面図である。
【図１０】図８，図９のサンゴ増殖用基盤を概略的に示す斜視図である。
【図１１】第３の実施の形態によるサンゴ増殖用基盤の部分を示す側面図（ａ）及び平面図（ｂ）である。
【図１２】第３の実施の形態によるサンゴ増殖用基盤を概略的に示す側面図である。
【図１３】図１２のサンゴ増殖用基盤の別の例を概略的に示す側面図である。
【図１４】図１２のサンゴ増殖用基盤を複数平面的に配置した例を概略的に示す平面図である。
【図１５】第４の実施の形態によるサンゴ増殖用基盤を示す側面図（ａ）及び平面図（ｂ）である。
【図１６】図１５のサンゴ増殖用基盤の別の例を概略的に示す側面図である。
【図１７】図１６のサンゴ増殖用基盤の別の例を概略的に示す側面図である。
【図１８】図１５のサンゴ増殖用基盤を複数平面的に配置した例を概略的に示す平面図である。
【図１９】第５の実施の形態によるサンゴ増殖用基盤を示す平面図である。
【図２０】図１９のサンゴ増殖用基盤を側面から内部を見た図である。
【図２１】図１９，図２０のサンゴ増殖用基盤を複数組み合わせて構成したサンゴ増殖用基盤組立体を示す斜視図である。
【図２２】第６の実施形態による上記各サンゴ増殖用基盤を複数組み合わせたサンゴ増殖用基盤組立体を示す斜視図である。
【図２３】第１の実施の形態の別の例のサンゴ増殖用基盤を概略的に示す側面図である。
【符号の説明】
【０１２０】
１０，１０’，１０Ａ，１０Ｂ サンゴ増殖用基盤
１１ 支持板（支持部材）
１２ 半ドーム部（面状部、湾曲面部）
１２Ａ 略半円錐部
１３ 溝
１４，１４Ａ 凸面
１５，１５Ａ 凹面
１６，１７、１８ｃ 滞留域
１８ 平板部（面状部）
１９，１９ａ 隙間
２０ サンゴ増殖用基盤
２１ 支持板
２２ 半ドーム部
２３ 中央ドーム部
２４ 凸面
２５ 凹面
２７，２８ 滞留域
２９ 隙間
３０，３０Ａ サンゴ増殖用基盤
３１ 支持棒
３２ ドーム部
３３ａ 中心孔
３４ 凸面
３５ 凹面
３６，３７，３６Ａ，３７Ａ 滞留域
３９ 隙間
４０，４０Ａ，４０Ｂ，４０Ｃ サンゴ増殖用基盤
４１ 桝型部
４２ 側面
４３ 孔
４４ 壁面
４５ 底面，天井面
４５ａ 孔
４６ 支持棒
４６Ａ 支持板
４７，４８，４７Ａ，４８Ａ，４７Ｂ，４８Ｂ 滞留域
４９ 中空部
５０ サンゴ増殖用基盤
５１ ベース部
５１ａ 内面
５２ 棒状部
５３ 側壁部
５３ａ 内面
５６，５７ 滞留域
６０，７０ サンゴ増殖用基盤組立体
７１ 支持板
Ａ 一定方向
Ｂ 反対方向
Ｃ 流れ込み方向
Ｄ 基質内スペース
Ｅ，Ｅ’ 一定方向
Ｆ，Ｆ’ 反対方向
【図１】
2008141979.tif 000003
【図２】
2008141979.tif 000004
【図３】
2008141979.tif 000005
【図４】
2008141979.tif 000006
【図５】
2008141979.tif 000007
【図６】
2008141979.tif 000008
【図７】
2008141979.tif 000009
【図８】
2008141979.tif 000010
【図９】
2008141979.tif 000011
【図１０】
2008141979.tif 000012
【図１１】
2008141979.tif 000013
【図１２】
2008141979.tif 000014
【図１３】
2008141979.tif 000015
【図１４】
2008141979.tif 000016
【図１５】
2008141979.tif 000017
【図１６】
2008141979.tif 000018
【図１７】
2008141979.tif 000019
【図１８】
2008141979.tif 000020
【図１９】
2008141979.tif 000021
【図２０】
2008141979.tif 000022
【図２１】
2008141979.tif 000023
【図２２】
2008141979.tif 000024
【図２３】
2008141979.tif 000025